(57)【要約】【課題】映像信号通信装置の待機時消費電力などを低減する。【解決手段】映像信号受信装置１は、入力信号変化検知部３、回路制御部４、命令信号送受部５、主回路部６、低速データ通信部７、および高速データ通信部８を備えている。入力信号変化検知部３は、常時電源電圧が供給され、命令信号ａが所定のレベルになったことを検出した場合にレベル検出信号を出力する。命令信号送受部５は、レベル検出信号が入力されると、電源電圧が供給されて動作状態になり、その後または続いて入力される命令信号ａにより示されるコマンドを判別して、その内容に応じて各部を動作状態にする動作制御信号を出力する。主回路部６、低速データ通信部７、および高速データ通信部８は、それぞれ上記命令信号送受部５から出力される動作制御信号が入力されると、電源電圧が供給されて動作状態になる。【選択図】図２
2009065584.tif 000002
【特許請求の範囲】
【請求項１】
入力された命令信号に基づいて、装置の動作を制御する動作制御信号を出力する命令信号受信部と、
上記命令信号のレベルを検出してレベル検出信号を出力するレベル検出部と、
入力されたデータ信号、または出力されるデータ信号の少なくとも一方に対する所定の処理を行う映像処理部とを備え、
上記命令信号受信部は、上記レベル検出信号に応じて、待機状態から動作状態に復帰する一方、
上記映像処理部の少なくとも一部は、上記命令信号受信部から出力される動作制御信号に応じて、待機状態から動作状態に復帰するように構成されていることを特徴とする映像信号通信装置。
【請求項２】
請求項１の映像信号通信装置であって、
上記映像処理部は、
所定の通信速度でデータ信号を入出力する高速通信部と、
上記高速通信部よりも遅い通信速度でデータ信号を入出力する低速通信部と、
入出力データ信号に対して所定の処理を施すデータ信号処理部とを有し、
上記高速通信部、低速通信部、およびデータ信号処理部のうちの少なくとも何れかは、独立に動作状態に復帰し得るように構成されていることを特徴とする映像信号通信装置。
【請求項３】
請求項２の映像信号通信装置であって、
上記高速通信部、低速通信部、およびデータ信号処理部は１つの半導体素子内に形成され、
上記命令信号受信部から上記半導体素子に動作制御信号が入力されるように構成されていることを特徴とする映像信号通信装置。
【請求項４】
請求項２の映像信号通信装置であって、
上記命令信号受信部、上記高速通信部、低速通信部、およびデータ信号処理部は１つの半導体素子内に形成され、
上記半導体素子に、上記命令信号、およびレベル検出信号が入力されるように構成されていることを特徴とする映像信号通信装置。
【請求項５】
請求項４の映像信号通信装置であって、
上記命令信号は、上記半導体素子を介してレベル検出部に入力されていることを特徴とする映像信号通信装置。
【請求項６】
請求項２の映像信号通信装置であって、
上記命令信号受信部、レベル検出部、高速通信部、低速通信部、およびデータ信号処理部は１つの半導体素子内に形成されるとともに、
さらに、上記動作制御信号を第１のレベル検出信号として、第２のレベル検出信号を出力する動作制御部を備え、
上記第１のレベル検出信号が上記半導体素子から上記動作制御部に入力される一方、上記第２のレベル検出信号が上記動作制御部から上記半導体素子に入力されるように構成されていることを特徴とする映像信号通信装置。
【請求項７】
請求項１の映像信号通信装置であって、
供給される電源が制御されることによって、上記待機状態または動作状態に制御されるように構成されていることを特徴とする映像信号通信装置。
【請求項８】
請求項１の映像信号通信装置であって、
上記命令信号とデータ信号との組が複数組入出力され得るように構成されていることを特徴とする映像信号通信装置。
【発明の詳細な説明】
【技術分野】
【０００１】
本発明は、例えばＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）のＣＥＣ（Ｃｏｎｓｕｍｅｒ  Ｅｌｅｃｔｒｏｎｉｃｓ  Ｃｏｎｔｒｏｌ）などが適用されるＤＶＤ（Ｄｉｇｉｔａｌ  Ｖｅｒｓａｔｉｌｅ  Ｄｉｓｃ）プレイヤーや、ディジタルテレビジョン受像器、ＡＶ（Ａｕｄｉｏ  Ｖｉｓｕａｌ）アンプ等、映像データ信号の入出力および処理がなされる映像信号通信装置に関するものである。
【背景技術】
【０００２】
映像信号通信装置には、ＨＤＭＩを有し、映像データ信号に加えて、装置を制御する制御信号も送受することにより、各装置の動作を一元的に制御できるようにしたものがある（例えば、特許文献１、２参照。）。
【０００３】
詳しくは、ＨＤＭＩにおけるＣＥＣでは、画像等用の高速信号とは別に低速な専用の信号線を用いて命令信号の送受信が行われる。上記専用の信号線はＨＤＭＩのケーブルの中に含まれているため、例えば、ＴＶ（テレビジョン受像器）とＤＶＤプレイヤーとを１本のＨＤＭＩのケーブルで接続すれば、ＴＶ側からＤＶＤプレイヤーの電源入／切、再生／停止等の動作を一元的に制御することなどが可能となる。
【特許文献１】国際公開第２００５／０１５９０１号パンフレット
【特許文献２】特開２００６−２０３７２５号公報
【発明の開示】
【発明が解決しようとする課題】
【０００４】
しかしながら、上記のような命令信号の送受信によって、電源を投入したり待機状態から動作状態にしたりする場合、命令信号の受信や解読をする回路は常に動作させておく必要がある。そのため、映像信号通信装置の待機時消費電力などを大幅に低減することは困難であるという問題点を有していた。
【０００５】
本発明は、かかる点に鑑みてなされたものであり、映像信号通信装置の待機時消費電力などを容易に低減できるようにすることを目的としている。
【課題を解決するための手段】
【０００６】
上記の課題を解決するため、
第１の発明は、映像信号通信装置であって、
入力された命令信号に基づいて、装置の動作を制御する動作制御信号を出力する命令信号受信部と、
上記命令信号のレベルを検出してレベル検出信号を出力するレベル検出部と、
入力されたデータ信号、または出力されるデータ信号の少なくとも一方に対する所定の処理を行う映像処理部とを備え、
上記命令信号受信部は、上記レベル検出信号に応じて、待機状態から動作状態に復帰する一方、
上記映像処理部の少なくとも一部は、上記命令信号受信部から出力される動作制御信号に応じて、待機状態から動作状態に復帰するように構成されていることを特徴とする。
【０００７】
これにより、レベル検出部は命令信号のレベルを検出してレベル検出信号を出力し、これに応じて、命令信号受信部は待機状態から動作状態に復帰する。そこで、レベル検出信号が出力されるまでの間に命令信号受信部が消費する電力は抑制または低減される。一方、命令信号受信部が動作状態に復帰すると、入力された命令信号に基づいて装置の動作を柔軟、多様に制御することなどができ、例えば必要に応じた部分だけを動作状態にすることなどができるので、やはり消費電力が抑制または低減される。
【発明の効果】
【０００８】
本発明によれば、映像信号通信装置の待機時消費電力などを容易に低減することができる。
【発明を実施するための最良の形態】
【０００９】
以下、本発明の実施形態を図面に基づいて詳細に説明する。なお、以下の各実施形態において、他の実施形態と同様の機能を有する構成要素については同一の符号を付して説明を省略する。
【００１０】
《発明の実施形態１》
映像信号通信システムは、例えば図１に示すように、映像信号受信装置１と映像信号送信装置９と（映像信号通信装置）が、例えば複数の信号が１つにまとめられたＨＤＭＩにより接続されて構成されている。これらの映像信号送受信装置１・９の間では、命令信号ａ（ＣＥＣ）によるコマンドの送受によって、電源の入り切りや録画、再生等の制御が相互になされるようになっている。また、低速データ信号ｂ（ＤＤＣ）によるデータの送受によって、各機器がサポートしている画像フォーマットの種類や、暗号化鍵等の情報のやり取りが相互に行われるようになっている。さらに、高速データ信号ｃ（ＴＭＤＳ）による映像、音声等の高速なデータの通信が例えば１方向にだけ行われるようになっている。すなわち、この実施形態の例では、高速なデータの通信に関しては、映像信号受信装置１は受信専用、映像信号送信装置９は送信専用である例を示している。なお、これに限らず、高速なデータの通信も双方向に行われるようにしてもよい。
【００１１】
映像信号受信装置１は、例えば図２に示すように、入力信号変化検知部３（レベル検出部）、回路制御部４、命令信号送受部５（命令信号受信部）、主回路部６（映像処理部の一部、データ信号処理部）、低速データ通信部７（映像処理部の一部、低速通信部）、および高速データ通信部８（映像処理部の一部、高速通信部）を備えて構成されている。
【００１２】
入力信号変化検知部３（および回路制御部４）は、少なくとも他の各部が待機状態にされて電源電圧の供給が停止されている場合にも電源電圧が供給され、命令信号ａが所定のレベルになったことを検出した場合にレベル検出信号を出力するようになっている。より具体的には、例えば、他の各部が待機状態にされるときにリセットされ、命令信号ａが所定のレベルになったときにセットされる消費電力の小さいフリップフロップ回路などを用いて構成されている。
【００１３】
ここで、上記命令信号ａのレベルの変化の検出は、後述するコマンドの開始自体による変化を検出するようにしてもよいし、コマンドに先立って生じさせる変化を検出するようにしてもよい。前者の場合には、例えば、信号レベルが高レベルから低レベルに変化して所定の期間（例えば５０ｍ秒）低レベルに維持されることによってコマンドの開始が認識されるとすると、５０ｍ秒以内に入力信号変化検知部３がレベル検知を行って後述するように命令信号送受部５を動作状態にできるようにすれば、コマンドの喪失を招いたり特殊なコマンドを要したりすることなくコマンドに応じた動作をさせることなどが容易にでき、また、従来の装置に対して送信されるのと同じコマンドを受信して動作させることなども容易にできる。
【００１４】
命令信号送受部５は、上記レベル検出信号が（回路制御部４を介して）入力されると、電源電圧が供給されて動作状態になり、その後または続いて入力される命令信号ａにより示されるコマンドを判別して、その内容に応じて各部を動作状態にする動作制御信号を出力するようになっている。
【００１５】
主回路部６、低速データ通信部７、および高速データ通信部８は、それぞれ上記命令信号送受部５から出力される動作制御信号が（直接、または主回路部６および回路制御部４を介して）入力されると、電源電圧が供給されて動作状態になるようになっている。
【００１６】
また、映像信号送信装置９は、例えば図３に示すように、上記映像信号受信装置１の主回路部６、および高速データ通信部８に代えて、高速データ信号ｃの通信方向に対応した動作が異なる主回路部６’、および高速データ通信部８’が設けられている点が異なり、その他の点は同様に構成されている。
【００１７】
上記のように構成された映像信号通信システムにおいて、例えば、映像信号送信装置９が電源切状態の場合に、映像信号受信装置１によって電源入状態にされる場合の動作の例を説明する。
【００１８】
映像信号送信装置９が電源切状態（または待機状態、省電力状態、最小消費電力状態等）の場合には、映像信号送信装置９の命令信号送受部５、主回路部６’、低速データ通信部７、および高速データ通信部８’は、電源電圧の供給が停止される待機状態（停止状態）になる一方、入力信号変化検知部３（および回路制御部４）は、電源電圧が供給されて動作状態に維持される。
【００１９】
そして、映像信号受信装置１の命令信号送受部５が、映像信号送信装置９を電源入状態にするコマンドを示す命令信号ａを送信すると、映像信号送信装置９では、まず入力信号変化検知部３が命令信号ａのレベルの変化を検出し、レベル検出信号を出力する。このレベル検出信号に応じて、命令信号送受部５は動作状態になり、映像信号受信装置１から送信されたコマンドを判別し、主回路部６’、低速データ通信部７、および高速データ通信部８’を動作状態にする動作制御信号を出力する。
【００２０】
そこで、主回路部６’、低速データ通信部７、および高速データ通信部８’は、上記動作制御信号に応じて、電源電圧が供給され動作状態になる。すなわち、例えば映像信号送信装置９全体が電源入状態になって、映像の表示や記録などの動作が可能になる。
【００２１】
上記のように、映像信号送信装置９が電源切状態の場合には、命令信号送受部５が待機状態にされることによって消費電力が小さく抑えられる一方、入力信号変化検知部３によって命令信号ａのレベルの変化が検出された場合に動作状態にされることによって、映像信号受信装置１から送信されるコマンドに応じた柔軟、多様な制御を行わせることが容易にできる。より具体的には、例えば、主回路部６’、低速データ通信部７、および高速データ通信部８’のうちの一部だけをコマンドによって独立に動作状態にさせることなどができ、まず低速データ通信部７を動作状態にした後、比較的消費電力の大きい高速データ通信部８’は、高速データ信号ｃによる通信が開始されるまで待機状態に保つことによって、消費電力を必要最小限に抑えることなどが容易にできる。
【００２２】
なお、上記図２、図３の例では、各部の動作状態が電源電圧供給の有無によって制御される例を示したが、これに限らず、クロック信号を停止させたり周波数を低下させたりするパワーダウン状態にするなどしてもよい。さらに、電源制御とクロック制御とを組み合わせるなどしてもよい。
【００２３】
また、上記の例では、レベル検出信号や動作制御信号は、回路制御部４や主回路部６’を介して、命令信号送受部５や、低速データ通信部７、高速データ通信部８’に入力される例を示したが、これに限らず、それぞれ入力信号変化検知部３や命令信号送受部５から直接入力されるようにしてもよい。一方、図２、図３のように回路制御部４や主回路部６’を介する場合には、他の制御信号や状態信号などと組み合わせた信号を命令信号送受部５や低速データ通信部７などに入力するようにして、より多様な制御をすることなども容易にできる。
【００２４】
また、映像信号送信装置９が映像信号受信装置１によって電源入状態にされるのに限らず、映像信号受信装置１が映像信号送信装置９によって電源入状態にされる場合に同様の動作が行われるようにしてもよい。
【００２５】
《発明の実施形態２》
実施形態１の構成に代えて、動作制御信号が、例えば図４、図５に示すような経路で、主回路部６・６’や、低速データ通信部７、高速データ通信部８・８’に入力されるようにしてもよい。この場合でも、消費電力を必要最小限に抑えることなどが容易にできるメカニズムは実施形態１と同じであり、同様の効果が得られる。
【００２６】
《発明の実施形態３》
例えば実施形態２の回路構成において、図６、図７に示すようにＨＤＭＩ通信に関わる主回路部６・６’、低速データ通信部７、および高速データ通信部８・８’を含むデータ通信部１０を１つの半導体素子として形成し、分けた設計によって汎用性を高め得るようにするなどしてもよい。
【００２７】
《発明の実施形態４》
また、図８、図９に示すように、データ通信部１０に命令信号送受部５も含めて、より高機能な１つの半導体素子を形成するようにしてもよい。
【００２８】
《発明の実施形態５》
また、図１０、図１１に示すように、データ通信部１０に命令信号ａの入出力端子を設け、命令信号ａが、データ通信部１０には直接入力される一方、入力信号変化検知部３にはデータ通信部１０を介して入力されるようにしてもよい。
【００２９】
《発明の実施形態６》
さらに、図１２、図１３に示すように、データ通信部１０に入力信号変化検知部３も含めて、さらに高機能な１つの半導体素子を形成するようにしてもよい。
【００３０】
なお、上記各実施形態では、それぞれ対応する構成を有する映像信号送受信装置１・９どうしが接続される例を示したが、これに限らず、各実施形態の映像信号受信装置１と映像信号送信装置９とをそれぞれ任意の組み合わせで接続しても、行われる動作および消費電力の低減等に関しては同じである。
【００３１】
また、上記の例では低速データ通信部７、および高速データ通信部８・８’がそれぞれ１つずつ設けられている例を示したが、これに限らず種々の通信部が１つまたは複数設けられるようにしてもよい。また、命令信号とデータ信号（例えば低速データ信号と高速データ信号）とを組として、複数組の信号を入出力可能に、すなわちＨＤＭＩポートを複数ポート設けるなどしてもよい。
【産業上の利用可能性】
【００３２】
本発明にかかる映像信号通信装置は、映像信号通信装置の待機時消費電力などを容易に低減することができる効果を有し、例えばＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）のＣＥＣ（Ｃｏｎｓｕｍｅｒ  Ｅｌｅｃｔｒｏｎｉｃｓ  Ｃｏｎｔｒｏｌ）などが適用されるＤＶＤ（Ｄｉｇｉｔａｌ  Ｖｅｒｓａｔｉｌｅ  Ｄｉｓｃ）プレイヤーや、ディジタルテレビジョン受像器、ＡＶ（Ａｕｄｉｏ  Ｖｉｓｕａｌ）アンプ等、映像データ信号の入出力および処理がなされる映像信号通信装置等として有用である。
【図面の簡単な説明】
【００３３】
【図１】実施形態１の映像信号通信システムの構成を示すブロック図である。
【図２】実施形態１の映像信号受信装置１の構成を示すブロック図である。
【図３】実施形態１の映像信号送信装置９の構成を示すブロック図である。
【図４】実施形態２の映像信号受信装置１の構成を示すブロック図である。
【図５】実施形態２の映像信号送信装置９の構成を示すブロック図である。
【図６】実施形態３の映像信号受信装置１の構成を示すブロック図である。
【図７】実施形態３の映像信号送信装置９の構成を示すブロック図である。
【図８】実施形態４の映像信号受信装置１の構成を示すブロック図である。
【図９】実施形態４の映像信号送信装置９の構成を示すブロック図である。
【図１０】実施形態５の映像信号受信装置１の構成を示すブロック図である。
【図１１】実施形態５の映像信号送信装置９の構成を示すブロック図である。
【図１２】実施形態６の映像信号受信装置１の構成を示すブロック図である。
【図１３】実施形態６の映像信号送信装置９の構成を示すブロック図である。
【符号の説明】
【００３４】
１      映像信号受信装置
２      命令信号通信部
３      入力信号変化検知部
４      回路制御部
５      命令信号送受部
６      主回路部
６’    主回路部
７      低速データ通信部
８      高速データ通信部
８’    高速データ通信部
９      映像信号送信装置
１０      データ通信部
【図１】
2009065584.tif 000003
【図２】
2009065584.tif 000004
【図３】
2009065584.tif 000005
【図４】
2009065584.tif 000006
【図５】
2009065584.tif 000007
【図６】
2009065584.tif 000008
【図７】
2009065584.tif 000009
【図８】
2009065584.tif 000010
【図９】
2009065584.tif 000011
【図１０】
2009065584.tif 000012
【図１１】
2009065584.tif 000013
【図１２】
2009065584.tif 000014
【図１３】
2009065584.tif 000015